(57)【要約】【課題】  複数台のカメラ装置２０と画像受信装置３０との間の同軸ケーブルが不要であり、また画像受信装置３０の構成を簡略化した監視カメラシステムを得る。【解決手段】  監視カメラシステムは、無線ＬＡＮ４０を介して画像データに関する信号の送受信を行う複数のカメラ装置２０と画像受信装置３０とからなり、画像受信装置３０は、複数のカメラ装置２０のうちから所定のカメラ装置２０を選択して画像送信を指示する送信指示信号を発生するカメラ選択部３４と、送信指示信号を選択した所定のカメラ装置２０に対して送信し、所定のカメラ装置２０からの画像データを受信する無線ＬＡＮ通信部３１と、受信した画像データから所定の画像を生成しモニタに出力する画像処理部３３を備え、複数のカメラ装置２０のそれぞれは、自己を指定する送信指示信号を受信し、カメラ２１で取得した画像データを画像受信装置３０に対して送信する無線ＬＡＮ通信部２２を備える。【選択図】        図１
2005340934.tif 000002
【特許請求の範囲】
【請求項１】
無線ＬＡＮを介して画像データに関する信号の送受信を行う複数の画像送信装置と画像受信装置とからなり、
前記画像受信装置は、
前記複数の画像送信装置のうちから所定の画像送信装置を選択して画像送信を指示する送信指示信号を発生する画像選択手段と、
前記送信指示信号を選択した所定の画像送信装置に対して送信し、前記所定の画像送信装置からの画像データを受信する第１の無線ＬＡＮ通信手段と、
受信した画像データから所定の画像を生成しモニタに出力する画像処理手段とを備え、
前記複数の画像送信装置のそれぞれは、
自己を指定する前記送信指示信号を受信し、監視カメラで取得した画像データを前記画像受信装置に対して送信する第２の無線ＬＡＮ通信手段とを備えたことを特徴とする監視カメラシステム。
【請求項２】
画像選択手段は、一定時間間隔で画像送信装置を順次選択するよう指示するよう送信指示信号を発生することを特徴とする請求項１記載の監視カメラシステム。
【請求項３】
無線ＬＡＮが、指示信号を受けた複数の画像送信装置の画像データを時分割伝送し、
画像受信装置の画像処理手段は、複数の画像送信装置の画像データからなる多画面画像を生成することを特徴とする請求項１記載の監視カメラシステム。
【請求項４】
画像受信装置は、受信した画像データを記録する記録媒体を備えたことを特徴とする請求項１記載の監視カメラシステム。
【請求項５】
複数の画像送信装置のそれぞれは、監視カメラで取得した画像データから画像サイズを縮小しフィールドごとのスケーリング画像の画像データを自己の第２の無線ＬＡＮ通信手段を介して時分割伝送させるスケーリング手段を備え、
画像受信装置の画像処理手段は、受信した各画像送信装置の奇数、偶数フィールドごとの画像データに基づいて多画面画像を生成することを特徴とする請求項３記載の監視カメラシステム。
【発明の詳細な説明】
【技術分野】
【０００１】
この発明は、複数台の監視カメラの動画像を無線ＬＡＮ（Wireless
Local Area Network)を介して伝送する監視カメラシステムに関するものである。
【背景技術】
【０００２】
複数台の監視カメラの動画像によって所定の領域を監視するシステムとして、一般に図７に示すシステムが知られている。この図に示すように、この監視システムは、ｎ台のカメラ１０（１〜ｎ）と、ｎ台の映像分配装置１１（１〜ｎ）、画面分割装置１２、映像切替装置１３およびモニタ装置１４を有する画像受信装置１００とを備える。各カメラ１〜ｎは同軸ケーブル１１０によってそれぞれ映像分配装置１〜ｎと接続される。映像分配装置１〜ｎは、画面分割装置１２および映像切替装置１３と同軸ケーブル１１１によって接続される。映像分配装置１〜ｎからの各映像信号は画面分割装置１２と映像切替装置１３とに分配して供給される。
【０００３】
画面分割装置１２は、モニタ装置１４の表示画面に複数台のカメラからの画像を多画面画像として表示させるものである。すなわち、ｎ台のカメラ１〜ｎから取得した映像信号から、１画面に例えば４画面、９画面分を表示できるように画面分割して映像切替装置１３に供給する。映像切替装置１３は、画面分割装置１２からの映像信号、またはｎ台のカメラ１〜ｎから取得する映像信号を任意に選択し、モニタ装置１４に出力する。なお、モニタ装置１４での多画面表示を行わない場合は画面分割装置１２を備えなくてもよい。当分野における先行技術には、例えば特許文献１がある。
【０００４】
【特許文献１】特開平１０−２１０３４２号公報
【発明の開示】
【発明が解決しようとする課題】
【０００５】
従来の監視カメラシステムは上記のように構成されていたので、カメラ１〜ｎと画像受信装置１００との間に同軸ケーブル１１０を敷設する必要があった。また、映像分配装置１〜ｎ、映像切替装置１３およびこれらの装置間を接続する同軸ケーブル１１１を備える必要であるため、画像受信装置１００の構成が複雑になると共に、コストがかかるという課題があった。
【０００６】
この発明は、上記のような課題を解決するためになされたものであり、複数台のカメラと画像受信装置との間の同軸ケーブルが不要であり、また画像受信装置の構成を簡略化した監視カメラシステムを得ることを目的とする。
【課題を解決するための手段】
【０００７】
この発明に係る監視カメラシステムは、無線ＬＡＮを介して画像データに関する信号の送受信を行う複数の画像送信装置と画像受信装置とからなり、画像受信装置は、複数の画像送信装置のうちから所定の画像送信装置を選択して画像送信を指示する送信指示信号を発生する画像選択手段と、送信指示信号を選択した所定の画像送信装置に対して送信し、所定の画像送信装置からの画像データを受信する第１の無線ＬＡＮ通信手段と、受信した画像データから所定の画像を生成しモニタに出力する画像処理手段とを備え、複数の画像送信装置のそれぞれは、自己を指定する前記送信指示信号を受信し、監視カメラで取得した画像データを画像受信装置に対して送信する第２の無線ＬＡＮ通信手段とを備えたものである。
【発明の効果】
【０００８】
この発明によれば、無線ＬＡＮを介して画像データに関する信号の送受信を行う複数の画像送信装置と画像受信装置とからなり、画像受信装置は、複数の画像送信装置のうちから所定の画像送信装置を選択して画像送信を指示する送信指示信号を発生する画像選択手段と、送信指示信号を選択した所定の画像送信装置に対して送信し、所定の画像送信装置からの画像データを受信する第１の無線ＬＡＮ通信手段と、受信した画像データから所定の画像を生成しモニタに出力する画像処理手段とを備え、複数の画像送信装置のそれぞれは、自己を指定する前記送信指示信号を受信し、監視カメラで取得した画像データを画像受信装置に対して送信する第２の無線ＬＡＮ通信手段とを備えるように構成したので、複数台のカメラと画像受信装置との間の同軸ケーブルが不要であり、また画像受信装置の構成を簡略化した監視カメラシステムを得ることができる。
【発明を実施するための最良の形態】
【０００９】
実施の形態１．
図１はこの発明の実施の形態１による監視カメラシステムの構成を示すブロック図である。図に示すように、監視カメラシステムは、ｎ台のカメラ装置（画像送信装置）２０と、画像受信装置３０とを備える。各カメラ装置２０は、カメラ２１（１〜ｎ）、無線ＬＡＮ通信部（第２の無線ＬＡＮ通信手段）２２（１〜ｎ）を備える。画像受信装置３０は、無線ＬＡＮ通信部（第１の無線ＬＡＮ通信手段）３１、通信制御部３２、画像処理部（画像処理手段）３３、カメラ選択部（画像選択手段）３４を備える。
【００１０】
各カメラ装置２０の無線ＬＡＮ通信部２２と、画像受信装置３０の無線ＬＡＮ通信部３１とは、無線ＬＡＮ４０を介して画像データに関する信号の送受信を行う。無線ＬＡＮ４０の規格には、時分割伝送を行うＩＥＥＥ８０２．１１ａ（Institude of Electronic and Electronics Engineers ８０２．１１ａ）またはＩＥＥＥ８０２．１１ｇ（Institude
of Electronic and Electronics Engineers ８０２．１１ｇ）またはこれらの発展形を採用する。
【００１１】
カメラ選択部３４は、ユーザがモニタしたいカメラ１〜ｎを選択し、そのカメラ番号に応じたカメラ選択信号を送信指示信号として出力する。通信制御部３２は、送信指示信号に応じて無線ＬＡＮ通信部３１による無線通信を制御する。画像処理部３３は、無線ＬＡＮ通信部３１が受信した画像データから動画像を生成しモニタ装置３５に出力する。
【００１２】
次に動作について説明する。
カメラ１〜ｎは各監視領域の画像データを撮像している。ユーザはモニタしたいカメラを選択し、カメラ選択部３４からそのカメラ番号を入力する。カメラ選択部３４は、入力されたカメラ番号に対応するカメラ選択信号を送信指示信号として通信制御部３２に供給する。通信制御部３２は、送信指示信号に応じて無線ＬＡＮ通信部３１による無線通信を制御する。すなわち、カメラ１〜ｎのうち選択されたカメラに対して画像データの送信指示信号を通知するように無線ＬＡＮ通信部３１を制御する。無線ＬＡＮ通信部３１は、選択されたカメラとの間に通信路を確保し、そのカメラに送信指示信号を通知する。送信指示信号を受け取ったカメラ装置２０は、カメラ２１で取得した画像データを無線ＬＡＮ通信部２２から画像受信装置３０に送信する。画像受信装置３０は、無線ＬＡＮ通信部３１で画像データを取得し、画像処理部３３に供給する。画像処理部３３は、取得した画像データから動画像を生成し、モニタ装置３５に出力する。
【００１３】
続いて、ユーザがモニタしたいカメラをカメラ選択部３４から切り替えると、対応する送信指示信号が切り替わって通信制御部３２に供給される。通信制御部３２は、送信指示信号に応じて無線ＬＡＮ通信部３１に通信路を切り替える指示を出す。無線ＬＡＮ通信部３１は指示に応じて、選択されたカメラ装置２０と通信を行うように通信路を切り替えてそのカメラから画像データを取得し、画像処理部３３に供給する。画像処理部３３は、取得した画像データから動画像を生成し、モニタ装置３５に出力する。
【００１４】
図２はこの発明の実施の形態１による監視カメラシステムの無線ＬＡＮ４０における伝送方式について説明する図である。ユーザによってカメラ番号が”１”、”２”、”ｎ”の順で選択されたとする。図に示すように、無線ＬＡＮ通信部３１はカメラ番号”１”を受け取ると、複数のカメラ装置２０のうち無線ＬＡＮ通信部１との通信を確立し、通信路を確保して画像データを取得する。続いて、カメラ選択部３４がカメラ番号”２”を受け取ると、無線ＬＡＮ通信部２との通信に切り替えて通信路を確保し、画像データを取得する。さらに、カメラ番号”ｎ”を受け取ると、同様に無線ＬＡＮ通信部ｎとの通信に切り替えて通信路を確保し、画像データを取得する。このように、無線ＬＡＮ４０上で所望のカメラ装置との通信に切り替えて画像伝送を行うことができるので、従来の監視カメラシステムにおける映像分配装置、映像切替装置と同様の機能を得ることができる。
【００１５】
以上のように、この実施の形態１によれば、各カメラ装置２０が無線ＬＡＮ通信部１〜ｎを保持し、画像受信装置３０が無線ＬＡＮ４０を介して各カメラ１〜ｎからの画像データを取得し、カメラ選択部３４によって画像データを取得するカメラを切り替えるようにしたので、同軸ケーブルが不要であり、また画像受信装置の構成を簡略化した監視カメラシステムによって、モニタしたいカメラを切り替えながら動画像をモニタすることができる効果が得られる。
【００１６】
実施の形態２．
図３はこの発明の実施の形態２による監視カメラシステムの構成を示すブロック図である。図に示すように、この実施の形態２による監視カメラシステムは、図１の監視カメラシステムのカメラ選択部３４の変わりにＣＰＵ（Central Processing Unit）部３６を備えるものである。
【００１７】
ＣＰＵ部３６は、一定時間間隔でカメラ装置２０を順次選択するよう指示する送信指示信号を発生する機能を持つ。すなわち、カメラ１〜ｎから順に画像データを取得するように、カメラ番号に対応するカメラ選択信号として送信指示信号を生成し一定時間間隔で通信制御部３２に供給する。通信制御部３２は送信指示信号に応じて無線ＬＡＮ通信部３１による無線通信を制御する。すなわち、カメラ１〜ｎの順に動画像伝送を行うように制御する。無線ＬＡＮ通信部３１は、カメラ１〜ｎの順に通信路を確保し、そのカメラから画像データを取得し、動画像を生成してモニタ装置３５に出力する。
【００１８】
以上のように、この実施の形態２によれば、一定時間間隔でカメラ装置２０を順次選択するよう指示する送信指示信号を発生するＣＰＵ部３６を備えるようにしたので、カメラ１〜ｎから順に画像データを取得して動画像を生成し、一定時間間隔で切り替えてモニタ装置３５に表示できる効果が得られる。
【００１９】
実施の形態３．
図４はこの発明の実施の形態３による監視カメラシステムの構成を示すブロック図である。図に示すように、この実施の形態３による監視カメラシステムは、図１に示した各カメラ装置２０がスケーリング部２３（１〜ｎ）を備えるようにしたものである。スケーリング部２３は、カメラ２１が取得した画像データから画像サイズを縮小してフィールド毎のスケーリング画像として出力し、無線ＬＡＮ通信部２２から時分割伝送させる。例えば１／４のスケーリングを行うようにすると、最大４台のカメラからの動画像を同一画面上に配置してモニタ装置３５に出力できる。同様に、１／９のスケーリングを行うようにすると、最大９台のカメラからの動画像を同一画面上に配置してモニタ装置３５に出力できる。
【００２０】
図５はこの実施の形態３に係る無線ＬＡＮ４０での伝送方式について説明する図である。ここでは、４台のカメラ１〜４がそれぞれ撮影した動画像に１／４のスケーリングを行ってフィールド毎のスケーリング画像の画像データを伝送する場合を示す。無線ＬＡＮ４０は、まず奇数フィールド期間中に４つのカメラ１〜４から取得したスケーリング画像の伝送を行い、続いて偶数フィールド期間中に４つの監視カメラ１〜４から取得したスケーリング画像の伝送を行う。このように、奇数、偶数フィールドごとの画像データを交互に伝送する。
【００２１】
無線ＬＡＮ通信部３１は、無線ＬＡＮ４０からスケーリング画像を取得すると、画像処理部３３に供給する。画像処理部３３は、取得したスケーリング画像に基づいて多画面画像を生成する。すなわち、例えばカメラ１からの画像はモニタ装置３５の画面左上、カメラ２からの画像は画面右上、カメラ３からの画像は画面左下、カメラ４からの画像は画面右下に、というように、カメラ毎に表示領域を指定して画像を配置し、モニタ装置３５に出力する。このようにすることで、従来の画面分割装置の機能と同様の機能が得られる。
【００２２】
以上のようにこの実施の形態３によれば、各カメラ１〜ｎがスケーリング部１〜ｎを備え、カメラの画像データを縮小して無線ＬＡＮ４０を介して画像受信装置３０に時分割伝送するようにしたので、同軸ケーブルが不要であり、また画像受信装置の構成を簡略化した監視カメラシステムによって、モニタ装置３５に多画面画像を表示できる効果が得られる。
【００２３】
実施の形態４．
図６はこの発明の実施の形態４による監視カメラシステムの構成を示すブロック図である。図に示すように、この実施の形態４による監視カメラシステムは、図１に示した監視カメラシステムの画像受信装置３０に記録媒体３７を追加したものである。
【００２４】
無線ＬＡＮ通信部３１は、実施の形態１で示した動作と同様に、選択されたカメラから無線ＬＡＮ４０を介して画像データを取得すると、画像処理部３３に供給する。画像処理部３３は、取得した画像データから動画像を生成してモニタ装置３５に供給すると共に、記録媒体３７に記録する。ユーザは記録媒体３７に記録された動画像を読み出して監視領域を閲覧することが可能になる。
【００２５】
記録媒体３７に動画像を記録する際には、膨大なリソースが必要となる。そこで、１フレーム画像を一定時間間隔で記録することで、リソースの節約を行うようにしてもよい。この一定時間間隔は任意に設定可能とする。
【００２６】
以上のように、この実施の形態４によれば、画像受信装置３０が記録媒体３７を保持し、無線ＬＡＮ通信部３１が取得した動画像を記録媒体３７に書き込むようにしたので、ユーザは長時間の監視画像を閲覧することができる効果が得られる。
【図面の簡単な説明】
【００２７】
【図１】この発明の実施の形態１による監視カメラシステムの構成を示すブロック図である。
【図２】同実施の形態１による監視カメラシステムによる無線ＬＡＮ区間の伝送方式について説明する図である。
【図３】同実施の形態２による監視カメラシステムの構成を示すブロック図である。
【図４】同実施の形態３による監視カメラシステムの構成を示すブロック図である。
【図５】同実施の形態３による監視カメラシステムによる無線ＬＡＮ区間の伝送方式について説明する図である。
【図６】同実施の形態４による監視カメラシステムの構成を示すブロック図である。
【図７】従来の監視カメラシステムの構成を示すブロック図である。
【符号の説明】
【００２８】
１０，２１  カメラ、１１  映像分配装置、１２  画像分割装置、１３  映像切替装置、１４，３５  モニタ装置、２２，３１  無線ＬＡＮ通信部、２３  スケーリング部、３０，１００  画像受信装置、３２  通信制御部、３４  カメラ選択部、３６  ＣＰＵ部、３７  記録媒体、４０  無線ＬＡＮ、１１０，１１１  同軸ケーブル。
【図１】
2005340934.tif 000003
【図２】
2005340934.tif 000004
【図３】
2005340934.tif 000005
【図４】
2005340934.tif 000006
【図５】
2005340934.tif 000007
【図６】
2005340934.tif 000008
【図７】
2005340934.tif 000009